(57)【要約】【課題】  紙幣の透かしを確認する場所の環境を問わず、紙幣の透かしを即座に確認することができ、紙幣を差し出した者に対して透かしの確認作業を悟られず、製造容易な紙幣の透かし確認器を提供する。【解決手段】  本考案に係る紙幣の透かし確認器は、基台と、基台に垂直に設けられた透光板と、透光板と平行に対峙する発光装置と、発光装置の動作を制御するスイッチとからなり、発光装置は、透光板と所定間隔を有し、透光板との対峙面が発光部であることを特徴とする。また、スイッチは、透光板と発光装置との間隙に設けられ、接触板及び接触板に接する接触ピンからなり、透光板及び発光装置のどちらか一方には接触板が設けられ、もう一方には接触ピンが設けられ、接触板と接触ピンの非接触時に発光部が発光しても良い。【選択図】  図１
0003110984.tif 000002
【実用新案登録請求の範囲】
【請求項１】
基台と、該基台に垂直に設けられた透光板と、該透光板と平行に対峙する発光装置と、該発光装置の動作を制御するスイッチとからなり、前記発光装置は、前記透光板と所定間隔を有し、該透光板との対峙面が発光部であることを特徴とする紙幣の透かし確認器。
【請求項２】
前記スイッチは、前記透光板と前記発光装置との間隙に設けられ、該間隙への紙幣挿入時に前記発光部が発光することを特徴とする請求項１に記載の紙幣の透かし確認器。
【請求項３】
前記スイッチは、接触板及び該接触板に接する接触ピンからなり、該透光板又は該発光装置のどちらか一方には接触板が設けられ、もう一方には接触ピンが設けられ、該接触板と該接触ピンの非接触時に前記発光部が発光することを特徴とする請求項１又は２に記載の紙幣の透かし確認器。
【請求項４】
前記発光部は、複数のＬＥＤからなることを特徴とする請求項１〜３のいずれかに記載の紙幣の透かし確認器。
【請求項５】
前記基台と前記発光装置は、略Ｌ字形に連結固定されていることを特徴とする請求項１〜４のいずれかに記載の紙幣の透かし確認器。
【考案の詳細な説明】
【技術分野】
【０００１】
本考案は、偽札判定機に関するものであって、紙幣の透かしの有無又は鮮明さを確認する透かし確認器に関する。
【背景技術】
【０００２】
近年、偽札を製造、使用する犯罪が急激に増加している。その理由として、カラーコピー機、パソコン、スキャナ、プリンタ等の性能の向上が挙げられる。これらの機器を使用すれば、誰でもが簡単に精巧な偽札を作成できてしまう。
【０００３】
ところで、真札と偽札の判断には、いくつかのポイントがある。その中で、最も特徴的であり誰もが簡単に判断可能であるのは、透かしの有無又は透かしの鮮明さによるものである。上記した機器を使用して偽札を作成すると、透かしが無いか又は不鮮明になるため、偽札であることが判断しやすい。
【考案の開示】
【考案が解決しようとする課題】
【０００４】
しかし、明るい場所や光源のある場所では光に紙幣をかざして透かしの確認もできるが、屋台や露店といった屋外や、照明を落とした店舗等では透かしの確認が困難であるという問題があった。
【０００５】
また、日本では偽札が氾濫しにくかった時代背景もあり、相手が差し出した紙幣に対して偽札であるかどうか疑うという文化が定着していない。そのため、相手が出した紙幣を目の前で偽札か否かの確認するという行為は、相手に対して失礼であるという認識が強い。特に、紙幣を照明にかざして透かしを確認する行為は、相手に不快感を与えるおそれがあり、接客業では行われにくい。更に、混雑時のレジで、紙幣を確認する作業は時間がかかり、混雑を悪化させてしまうという問題もある。
【０００６】
また、これまでにも多くの偽札判定機が開発されてきたが、構造が複雑且つ大型であり、コストも高いため、大量に紙幣を取り扱う銀行などでは導入されていたが、コンビニやスーパーのレジ、屋台や露店といった小型店舗では設置することができないという問題も有していた。
【０００７】
以上のことから、紙幣の透かしを確認する場所の環境を問わず、紙幣の透かしを即座に確認することができ、紙幣を差し出した者に対して透かしの確認作業を悟られず、製造容易な紙幣の透かし確認器の開発が望まれていた。
【課題を解決するための手段】
【０００８】
上記課題を解決するために本考案に係る紙幣の透かし確認器は、基台と、基台に垂直に設けられた透光板と、透光板と平行に対峙する発光装置と、発光装置の動作を制御するスイッチとからなり、発光装置は、透光板と所定間隔を有し、透光板との対峙面が発光部であることを特徴とする。
【０００９】
また、スイッチは、透光板と発光装置との間隙に設けられ、間隙への紙幣挿入時に発光部が発光しても良い。
【００１０】
また、スイッチは、接触板及び接触板に接する接触ピンからなり、透光板及び発光装置のどちらか一方には接触板が設けられ、もう一方には接触ピンが設けられ、接触板と接触ピンの非接触時に発光部が発光しても良い。
【００１１】
また、発光部は、複数のＬＥＤを備えていても良い。
【００１２】
また、基台と発光装置は、略Ｌ字形に連結固定されていても良い。
【考案の効果】
【００１３】
本考案に係る紙幣の透かし確認器は、基台と、基台に垂直に設けられた透光板と、透光板と平行に対峙する発光装置と、発光装置の動作を制御するスイッチとからなり、発光装置は、透光板と所定間隔を有し、透光板との対峙面が発光部であるため、透光板と発光装置との間隙に紙幣を挿入するだけで、紙幣の透かしを確認でき、容易に偽札の判断が可能となり、犯罪防止効果、犯罪抑制効果を得ることができる。
【００１４】
更に、透光板と発光装置との間隙に紙幣を挿入するだけで紙幣の透かしを確認できるため、相手から差し出された紙幣の一時預かりと紙幣の透かし確認を同時に行うことができ、相手に対して悟られずに透かし確認作業を行うことができる。
【００１５】
また、発光部は複数のＬＥＤを備えているため、暗い場所はもちろんのこと、明るい場所でも使用することができ、使用環境を問わない。
【００１６】
また、スイッチは、透光板と発光装置との間隙に設けられ、間隙への紙幣挿入時に発光部が発光するため、確認器の使用者が自ら発光装置を発光させる手間を省略でき、透かしの確認作業を簡略化できる。
【００１７】
また、スイッチは、接触板及び接触板に接する接触ピンからなり、透光板又は発光装置のどちらか一方には接触板が設けられ、もう一方には接触ピンが設けられ、接触板と接触ピンの非接触時に発光部が発光するため、発光装置を発光させる手間が省略できると共に、透光板及び発光装置の間隙に挿入された紙幣を接触ピンによって保持でき、風が吹いても紙幣が飛ばされず、屋外でも使用が可能となる。
【００１８】
また、基台と発光装置は、略Ｌ字形に連結固定されており、基台又は発光装置のどちらかを地面に接して設置できるため、紙幣を縦向き又は横向きのどちらの向きでも透かし確認ができ、使用者にとって確認作業が行いやすい。
【考案を実施するための最良の形態】
【００１９】
本考案に係る紙幣の透かし確認器２について図を参照にしながら説明する。図１は本考案に係る紙幣の透かし確認器２を示した説明図である。なお、これらの図は本考案を説明するためだけのものであり、本考案を何ら限定するものではない。
【００２０】
本考案に係る紙幣の透かし確認器２は、基台４と、透光板１０と、発光装置６と、スイッチ１２とを有している。
【００２１】
基台４は、紙幣の透かし確認器２（以降確認器２と記す）を構成する部材等を積載する土台を指す。基台４の形状や大きさについては特に限定しないが、９０ｍｍ×７０ｍｍ程度の大きさを有しているのが良い。この大きさは、コンビニやスーパー等のレジ又はレジ付近に設置でき、設置した時にレジ作業の支障にならず、片手で確認器２の扱いが可能な程度の大きさである。また、基台４の材料については、成形容易なアクリル、樹脂等を使用するのが良いが、各種金属やその他の材料を使用しても良いし、これらの材料を組み合わせて使用することも可能である。また、この基台４の裏面には、確認器２を設置しやすいように滑り止め等を設けても良い。滑り止めとしては、図２に示されたように、ゴム部材やシリコン部材等を設けても良いし、基台４底部を滑りにくい材料で形成しても良い。
【００２２】
次に、透光板１０は基台４と垂直に設けられ、発光装置６と所定間隔を有して平行に設置されている。これにより、透光板１０と発光装置６の間隙に紙幣１８を差し入れて保持することができる。また、透光板１０が透明であるため、発光装置６が発光した時、紙幣１８の透かし２０を目視して確認が可能となる。この透光板１０は、アクリル板やガラス板を使用するのが良いが、透明で、発光装置６が発光した時、透光板１０を介して紙幣１８の透かし２０を目視することが可能であれば、その他の材料、部材を使用しても良い。また、透光板１０の形状、寸法、透光板１０と発光装置６との間隔等の条件については、特に限定せず適宜設定すれば良い。
【００２３】
次に、本考案に係る発光装置６は、透光板１０と発光装置６の間隙に挿入された紙幣１８に対して発光する発光部８を有する。図４は、発光部８の一実施の形態を示した説明図であり、図５は、発光装置６の回路図である。発光装置６の発光手段としては、一般的に市販されている白熱灯や蛍光灯等を使用するのが良いが、ＬＥＤを使用しても良い。ＬＥＤを使用する時は、図４に示されたように、複数のＬＥＤを使用するのが良いが、適宜設定すれば良い。また、発光装置６の動力源としては、一般家庭用電源でも良いし、乾電池や蓄電池でも良く適宜設定すれば良い。
【００２４】
また、発光装置６の設置位置については、基台４上であればどの様に設置しても良いが、図２に示されたように、略Ｌ字形に設置されていても良い。また、この時、発光装置６の裏面に滑り止めとして、ゴム部材やシリコン部材等を設けても良い。これにより、確認器２を図６又は図７に示されたように設置して使用することができる。つまり、紙幣１８を縦向き又は横向きのどちらでも設置でき、使用者が使いやすい方向に選択して使用することができる。例えば、身長の高い者が使用する時、紙幣を縦方向に設置しても、透かしを確認しにくい。そこで、紙幣を横方向に設置すれば、簡単に透かしを確認することができる。
【００２５】
また、スイッチ１２については、発光装置６を制御することができれば、どの様な手段、構造、形態であっても良い。例えば、確認器２の使用者がスイッチ１２を操作した時、発光装置６が発光又は消灯する仕組みでも良い。この時のスイッチ１２は、トグルスイッチ１２や押しボタンスイッチ１２等でも良いし、タッチ式、センサー式でも良く、適宜設定することができる。
【００２６】
また、スイッチ１２のその他の形態として、透光板１０と発光装置６との間隙に紙幣１８が挿入された時に発光部８が発光する仕組みでも良い。例えば、図３に示されたように、透光板１０と発光装置６との間隙に赤外センサー等のセンサーを設けても良い。このスイッチ１２は、透光板１０と発光装置６との間隙に紙幣１８が挿入され、紙幣１８がセンサーに触れた時点で発光部８を発光させ、間隙から紙幣１８が取り出され、紙幣１８がセンサーの感知範囲外に出た時点で発光部８を消灯する仕組みになっている。このセンサーの設置位置は、図示された位置である必要は無く、適宜設定することができる。
【００２７】
その他にも、図１及び図２に示されたように、接触板１４と接触板１４に接する接触ピン１６からなるスイッチ１２でも良い。このスイッチ１２は、透光板１０又は発光装置６のどちらか一方に接触板１４を設け、もう一方に接触ピン１６を設け、接触板１４と接触ピン１６が非接触時に発光部８が発光し、接触ピン１６と接触板１４が接触時に発光部８が消灯する仕組みになっている。つまり、通常時は発光部８が消灯しているが、透光板１０と発光装置６の間隙に紙幣１８を挿入すると、接触ピン１６と接触板１４が非接触状態となり発光装置６が発光する。接触ピン１６は、図２に示されたように、針金状部材でも良いが、球状体やその他の部材でも良い。また、接触ピン１６と接触板１４は、図示されたような形状及び構造以外にも、接触ピン１６と接触板１４の間に紙幣１８を容易に抜き差しでき、抜き差し時に紙幣１８を損傷しなければ、どの様な形状及び構造でも設定することができる。このスイッチ１２は、接触ピン１６と接触板１４の間に紙幣１８を挿入するため、接触ピン１６によって紙幣１８が保持可能となる。そのため、透かし２０確認中に紙幣１８が動かず、風が吹くような屋外でも使用が可能である。また、接触板１４と接触ピン１６によるスイッチは、１組である必要は無く、複数組を適所に設けることができる。
【００２８】
以上が本考案に係る紙幣の透かし確認器２についての説明であるが、本考案の目的を逸脱しない限り種々の条件及び設定は変更が可能である。
【図面の簡単な説明】
【００２９】
【図１】本考案に係る紙幣の透かし確認器を示した説明図である。
【図２】本考案に係る紙幣の透かし確認器を示した側面図である。
【図３】本考案に係る紙幣の透かし確認器の一実施の形態を示した説明図である。
【図４】本考案に係る紙幣の透かし確認器の発光部を示した側面図である。
【図５】発光装置の一実施の形態を示した回路図である。
【図６】本考案に係る紙幣の透かし確認器の使用状態を示した説明図である。
【図７】本考案に係る紙幣の透かし確認器の使用状態を示した説明図である。
【符号の説明】
【００３０】
２  紙幣の透かし確認器
４  基台
６  発光装置
８  発光部
１０  透光板
１２  スイッチ
１４  接触板
１６  接触ピン
１８  紙幣
２０  透かし
【図１】
0003110984.tif 000003
【図２】
0003110984.tif 000004
【図３】
0003110984.tif 000005
【図４】
0003110984.tif 000006
【図５】
0003110984.tif 000007
【図６】
0003110984.tif 000008
【図７】
0003110984.tif 000009